(57)【特許請求の範囲】
【請求項１】
光ディスクを搭載するターンテーブルと、該ターンテーブルを回転する回転手段と、該ターンテーブルに搭載した光ディスクにレーザ光を照射するレーザ光照射手段と、該レーザ光照射手段により該光ディスクに照射されるレーザ光の照射位置を該ターンテーブルの径方向に移動する半径方向移動手段と、該レーザ光照射手段により該光ディスクに照射されたレーザ光の該光ディスクにおける半径位置を検出する半径位置検出手段と、該回転手段により回転を行うと共に該レーザ光照射手段により該光ディスクに所定強度のレーザ光を照射することにより該光ディスクの記録層を初期化する初期化手段と、該回転手段により回転を行うと共に該レーザ光照射手段により該光ディスクにパルス状のレーザ光を照射することにより、該光ディスクにおける所定の識別情報記録領域の記録層に初期化箇所と非初期化箇所とからなる識別情報を記録する識別情報記録手段と、該半径方向移動手段により半径方向移動を行うと共に該半径位置検出手段により半径位置を検出し、検出された半径位置と予め記憶されている半径方向における初期化領域及び該識別情報記録領域とに基づいて、該初期化手段による初期化と該識別情報記録手段による識別情報の記録とを切り換えながら連続して行う処理制御手段とを備えた光ディスク初期化装置において、
該処理制御手段が、
該識別情報記録領域に隣接する内周側及び外周側の初期化領域で、該半径方向移動手段による半径方向移動を伴わない該初期化手段による初期化を該回転手段による回転の少なくとも１回転に渡って行うことを特徴とする光ディスク初期化装置。
【請求項２】
前記処理制御手段が、
前記識別情報記録領域の内周側の初期化領域で、前記半径方向移動手段による半径方向移動を伴った前記初期化手段による初期化を行い、
該識別情報記録領域に隣接する内周側の初期化領域で、該半径方向移動手段による半径方向移動を伴わない該初期化手段による初期化を行い、
該識別情報記録領域で、該半径方向移動手段による半径方向移動を伴った前記識別情報記録手段による識別情報の記録を行い、
該識別情報記録領域に隣接する外周側の初期化領域で、該半径方向移動手段による半径方向移動を伴わない該初期化手段による初期化を行い、
該識別情報記録領域の外周側の初期化領域で、該半径方向移動手段による半径方向移動を伴った該初期化手段による初期化を行うことを特徴とする請求項１に記載の光ディスク初期化装置。
【請求項３】
前記回転手段による回転の周方向における特定の回転位置を検出する特定回転位置検出手段を備え、
前記処理制御手段が、
前記半径位置検出手段が前記識別情報記録領域の内周側端又は外周側端の半径位置を検出すると、
該内周側端では前記初期化手段による初期化を継続し、該外周側端では該初期化手段による初期化を開始し、
該特定回転位置検出手段が２回以上特定位置を検出するまで前記半径方向移動手段による半径方向移動を停止することを特徴とする請求項１又は請求項２記載の光ディスク初期化装置。
【請求項４】
光ディスクを回転すると共に、該光ディスクにレーザ光を照射し、該光ディスクにおけるレーザ光照射位置を該光ディスクの半径方向に送ると共にレーザ光照射位置の半径を検出し、該検出された半径位置と予め記憶されている半径方向における初期化領域及び識別情報記録領域とに基づいて、該レーザ光照射を該光ディスクの記録層が初期化される所定強度のレーザ光照射又は該光ディスクの記録層が不連続で初期化されるパルス状のレーザ光照射とすることにより、該光ディスクの記録層の初期化と、該記録層への初期化箇所と非初期化箇所とからなる識別情報の記録とを切り換えながら行う光ディスク初期化方法において、
該識別情報記録領域に隣接する内周側及び外周側の初期化傾城で、
該レーザ光照射位置の半径方向移動を伴わない該光ディスクの記録層が初期化される所定強度のレーザ光照射を該光ディスクの少なくとも１回転において行うことを特徴とする光ディスク初期化方法。
【発明の詳細な説明】
【技術分野】
【０００１】
本発明は、光ディスクにレーザ光を照射することにより光ディスクの記録層を初期化すると共に、光ディスクの所定半径位置に初期化箇所と非初期化箇所とからなる識別情報を記録する光ディスク初期化装置及び光ディスク初期化方法に関する。
【背景技術】
【０００２】
従来より、光ディスクの不正コピー防止のために、光ディスクの最内周部のＢＣＡ（バースト・カッティング・エリア）と呼ばれる箇所にバーコード状のデータを記録することが行われている。このバーコード状のデータには連続番号（シリアルナンバー）や識別番号（ＩＤ）などの個別情報が記録されており、これらの情報を用いて光ディスクを管理することにより、光ディスクの不正コピーを防止している。このバーコード状のデータ（以下、ＢＣＡコードという）は、間隔が異なる複数のバーからなるデータである。このデータは、連続番号や識別番号などの個別情報であるＢＣＡコードの元データ（以下、ＢＣＡデータという）を所定のデータ変換により変換（エンコード）したデータである。
【０００３】
相変化型光ディスクにおいて、光ディスクが作成された段階では記録層は低反射率であるため、データの記録を可能にするためには記録層を結晶化する初期化と呼ばれる処理が必要である。そして、ＢＣＡコードの記録も必要であるが、初期化とＢＣＡコードの記録を別々に行うようにすると２台の装置で光ディスクを移し変えることを行わなければならないため生産効率が悪くなる。そのため、例えば特許文献１に示されているように所定の半径領域においてはレーザ光をパルス状に照射して初期化箇所（高反射率箇所）と非初期化箇所（低反射率箇所）とを作成することによりＢＣＡコードを記録し、これ以外の半径領域には一定強度のレーザ光を照射して初期化を行うことで初期化とＢＣＡコードの記録とを切り換えながら連続で行うようにしている。
【０００４】
ＢＣＡコードの記録を以下に説明する。光ディスクを回転させると共にレーザ光の照射位置を半径方向に移動させると、図７に示すように、光ディスクに形成された長円状の光スポットＳＰは、光ディスクを固定して見ると、光ディスクの周方向と半径方向とに移動し、レーザ光強度がハイレベルの箇所は初期化が行われて高反射率となり、レーザ光強度がローレベルの箇所は低反射率のままでバーとして残ることになる。そして回転に対するパルス状のレーザ光の出射タイミングを制御すれば、高反射率と低反射率の周方向における箇所はそれぞれの半径位置において同じ位置に形成され光ディスクの所定の半径領域にＢＣＡコードを記録することができる。
【０００５】
このＢＣＡコードを記録する半径領域の内周側領域と外周側領域とは、初期化を行う領域であるため、特許文献１に示されているように、光スポットＳＰを内周側から外周側に移動させ、まずＢＣＡコードを記録する半径領域の内周側領域を初期化し、次にＢＣＡコードを記録する半径領域にＢＣＡコードを記録し、次にＢＣＡコードを記録する半径領域の外周側領域を初期化するようにしている。
【特許文献１】特開２００４−１２７５１４号公報
【発明の開示】
【発明が解決しようとする課題】
【０００６】
これによれば、連続で処理を行っているため効率よく初期化とＢＣＡコードの記録とを行うことができるものの、光スポットＳＰを周方向と半径方向とに移動しているため、すなわち螺旋状に光スポットＳＰを移動しているため、周方向を直線状にして誇張してみると図８に示すようにＢＣＡコードの内周側端と外周側端における半径位置が周方向において異なることになる。
【０００７】
このため、次の問題がある。
１）ＢＣＡコードの内周側端と外周側端における半径位置の許容範囲Ａは規格で決まっており（例えばＤＶＤにおいては±６０μｍ）、ＢＣＡコードの記録半径位置と終了半径位置とを適切に設定することで、ＢＣＡコードの内周側端と外周側端をこの許容範囲Ａ内（図８における破線の範囲内）にするようにしても、光ディスクには偏心が存在するため光ディスクによっては、ＢＣＡコードの一部の内周側端と外周側端における半径位置がこの許容範囲Ａ内に入らない可能性がある。
２）光スポットＳＰの大きさを大きくし、光ディスクの１回転における半径方向の送りピッチを大きくした方が、初期化及びＢＣＡコードの記録を短時間で行うことができるため生産効率がよくなるが、光スポットＳＰの大きさを大きくし、半径方向の送りピッチを大きくしていくと、ＢＣＡコードの一部の内周側端と外周側端における半径位置が許容範囲Ａ内に入らなくなってしまう。
【０００８】
本発明は、このような事情に鑑みてなされたもので、初期化とＢＣＡコードの記録を連続して行う光ディスク初期化装置または光ディスクの初期化方法において、容易にＢＣＡコードの内周側端と外周側端における周方向の半径位置を同一にし、ＢＣＡコードの内周側端と外周側端における半径位置を許容範囲内にすることが可能な光ディスク初期化装置及び光ディスク初期化方法を提供することにある。
【課題を解決するための手段】
【０００９】
請求項１記載の光ディスク初期化装置は、処理制御手段が、識別情報記録領域に隣接する内周側及び外周側の初期化領域で、半径方向移動手段による半径方向移動を伴わない初期化手段による初期化を回転手段による回転の少なくとも１回転に渡って行うことを特徴とする。
【００１０】
請求項２記載の光ディスク初期化装置は、処理制御手段が、識別情報記録領域の内周側の初期化領域で、半径方向移動手段による半径方向移動を伴った初期化手段による初期化を行い、識別情報記録領域に隣接する内周側の初期化領域で、半径方向移動手段による半径方向移動を伴わない初期化手段による初期化を行い、識別情報記録領域で、半径方向移動手段による半径方向移動を伴った識別情報記録手段による識別情報の記録を行い、識別情報記録領域に隣接する外周側の初期化領域で、半径方向移動手段による半径方向移動を伴わない初期化手段による初期化を行い、識別情報記録領域の外周側の初期化領域で、半径方向移動手段による半径方向移動を伴った初期化手段による初期化を行うことを特徴とする。
【００１１】
請求項３記載の光ディスク初期化装置は、処理制御手段が、半径位置検出手段が識別情報記録領域の内周側端又は外周側端の半径位置を検出すると、内周側端では初期化手段による初期化を継続し、外周側端では初期化手段による初期化を開始し、特定回転位置検出手段が２回以上特定位置を検出するまで半径方向移動手段による半径方向移動を停止することを特徴とする。
【００１２】
請求項４記載の光ディスク初期化方法は、識別情報記録領域に隣接する内周側及び外周側の初期化傾城で、レーザ光照射位置の半径方向移動を伴わない光ディスクの記録層が初期化される所定強度のレーザ光照射を光ディスクの少なくとも１回転において行うことを特徴とする。
【発明の効果】
【００１３】
請求項１及び請求項４の発明によれば、識別情報記録領域（ＢＣＡコード記録領域）に隣接する内周側と外周側の初期化傾域で半径方向移動を伴わない初期化を行うようにしたことから、ＢＣＡコードの内周側端と外周側端における周方向の半径位置を同一にすることができ、ＢＣＡコードの内周側端と外周側端における半径位置を許容範囲内にすることが可能である。
【００１４】
請求項２の発明によれば、光ディスクの最内周側から、半径方向送りのある初期化、半径方向送りのない初期化、識別情報（ＢＣＡコード）の記録、半径方向送りのない初期化、半径方向送りのある初期化の順に一連の動作で処理を行うようにしたことから、生産効率の維持が可能である。
【００１５】
請求項３の発明によれば、半径位置検出手段が識別情報記録領域（ＢＣＡコード記録領域）の内周側端又は外周側端の半径位置を検出すると、内周側端では初期化手段による初期化を継続し、外周側端では初期化手段による初期化を開始し、特定回転位置検出手段が２回以上特定位置を検出するまで半径方向移動手段による半径方向移動を停止することから、容易に識別情報記録領域（ＢＣＡコード記録領域）の内周側端又は外周側端で半径方向移動のない初期化を光ディスクの１回転以上行うことができ、複雑な回路や機構を新たに必要としないため装置のコストアップを抑えることができる。
【発明を実施するための最良の形態】
【００１６】
以下、本発明の形態について図面を参照しながら具体的に説明する。本発明の形態における光ディスク初期化装置は、光ディスクにレーザ光を照射することにより光ディスクの記録層を初期化すると共に、光ディスクの所定半径位置に初期化箇所と非初期化箇所とからなる識別情報（ＢＣＡコード）を記録するものである。
【００１７】
図１は、本発明が適用された光ディスク初期化装置の全体構成を示す構成図である。図２〜図４は、同光ディスク初期化装置のコントローラが実行するプログラムのフローチャートである。図５は、検出する半径値の検出点を光スポット、光ディスクにおける初期化及び非初期化箇所と共に示した説明図である。図６は、本発明における初期化傾域とＢＣＡコード記録領域との境界におけるＢＣＡコードの記録のされ方を示した説明図である。
【００１８】
図１は、相変化型光ディスク（以下、単に光ディスクＤＫという）の記録層を初期化するとともに、光ディスクＤＫの所定半径位置に初期化箇所と非初期化箇所とからなる識別情報（ＢＣＡコード）を記録する光ディスク初期化装置である。図１に示すように光ディスク初期化装置１は、光ピックアップ２００、表示装置４０２や入力装置４０４を備えたコントローラ４００、信号増幅回路１００、フォーカスエラー信号生成回路１０２、フォーカスサーボ回路１０４、ドライブ回路１０６、再生信号生成回路１０８、２値化回路１１０、データ復号回路１１２、データ変換回路２０２、記録用信号生成回路２０４、レーザ駆動回路２０６、クロック信号発生回路２０８、スピンドルモータ２１２、スピンドルモータ制御回路２１０、フィードモータ３００、フィードモータ制御回路３０４、半径値検出回路３０２等から構成されている。
【００１９】
光ピックアップ２００は、レーザ光源，コリメートレンズ，偏光ビームスプリッタ，１／４波長板，対物レンズ，フォーカスアクチュエータ，集光レンズ，ナイフ，フォトディテクタ等から構成される。レーザ光源から出射されたレーザ光は、コリメートレンズにより断面が長円形状の平行光になり、偏光ビームスプリッタを透過し１／４波長板を介して対物レンズに入射し、対物レンズにより集光して光ディスクＤＫ上に長円形状の光スポットＳＰを形成する。光ディスクＤＫで反射したレーザ光は対物レンズで平行光になり、１／４波長板を介して偏光ビームスプリッタに入射する。このとき、レーザ光の偏光方向は１／４波長板を２度通過することにより出射時のレーザ光の偏光方向から９０度回転している。このため、偏光ビームスプリッタに入射したレーザ光は反射して集光レンズに入射し、ナイフを介して２分割又は４分割されたフォトディテクタに入射する。ナイフは先端位置がレーザ光の光軸位置にありナイフエッジ法によるフォーカスサーボを行うために設けられている。フォーカスアクチュエータはフォーカスサーボにおいて対物レンズをレーザ光の光軸方向に駆動するために設けられている。
【００２０】
データ変換回路２０２は、コントローラ４００から入力した光ディスクＤＫに与えられた光ディスク固有のＢＣＡデータを、例えばＤＶＤの場合はＢＣＡコードのバーとバーとの間隔が１Ｔから４Ｔまでとなるデータ（Blu-ray Discの場合は２Ｔから５Ｔまでとなるデータ）に変換（エンコード）し、記録用信号生成回路２０４に出力する。
【００２１】
クロック信号発生回路２０８は、スピンドルモータ２１２のエンコーダからのパルス信号により、ＢＣＡコードの記録の単位となるクロック信号（例えば１４４００パルス／周）を発生させ、記録用信号生成回路２０４に供給する。記録用信号生成回路２０４は、データ変換回路２０２から入力するデータを記憶しておき、スピンドルモータ２１２内にあるエンコーダからのインデックス信号が入力すると、このデータから例えばＤＶＤの場合はＢＣＡコードのバーとバーとの間隔が１Ｔから４Ｔまでとなるパルス信号を作成する。そしてさらに、このパルス信号からＢＣＡコードを再生したときの波形が最適になるような波形（例えばハイレベルの立ち上がり部分をより波高値を大きくする波形）のパルス信号を作成し、このパルス信号をクロック信号発生回路２０８から入力する信号により変調してレーザ駆動回路２０６に出力する。クロック信号による変調は、例えばクロック信号を１４４００パルス／周の信号にし、例えばＤＶＤにＢＣＡコードを記録する場合はＢＣＡコード幅（ローレベル，非初期化箇所）が１０パルス、ＢＣＡコードのバーとバーとの間隔（ハイレベル，初期化箇所）の１Ｔが３１パルスに相当するように変調が行われる。
【００２２】
レーザ駆動回路２０６は、記録用信号生成回路２０４からパルス信号が入力し、さらにコントローラ４００からレーザ光照射の種類に相当する信号とレーザ光強度に相当する信号とが入力する。そして、これらの信号に基づいて光ピックアップ２００内にあるレーザ光源が次の表１のようにレーザ光照射を行うための駆動信号を供給する。尚、レーザ光強度Ｉｎ１，Ｉｎ２は光ディスクＤＫの記録層が初期化されるレーザ光強度で、Ｉｎ３は光ディスクＤＫの記録層に変化が生じず、後述するフォーカスサーボが可能となるレーザ光強度である。
【００２３】
【表１】
0004706692.tif 000002
【００２４】
スピンドルモータ制御回路２１０は、コントローラ４００から回転速度の指令を受け、スピンドルモータ２１２内臓のエンコーダからのパルス信号を入力し、このパルス信号の単位時間あたりのパルス数が、指令された回転速度に相当するパルス数になるようスピンドルモータ２１２の回転速度を制御する。コントローラ４００には、回転速度として初期化用回転速度、ＢＣＡコード記録用回転速度、ＢＣＡデータ再生用回転速度の３つの回転速度が記憶されている。これらはいずれも線速度として記憶されているため、後述する半径値検出回路３０２が出力する半径値に基づいて（回転数／時間）の単位の回転速度に変換しスピンドルモータ制御回路２１０に一定間隔で出力する。
【００２５】
信号増幅回路１００は、光ピックアップ２００のフォトディテクタからの信号を増幅し、フォーカスエラー信号生成回路１０２と再生信号生成回路１０８に出力する。フォーカスエラー信号生成回路１０２、フォーカスサーボ回路１０４、ドライブ回路１０６及び光ピックアップ２００のフォーカスアクチュエータにより、光ピックアップ２００から照射されるレーザ光の焦点が光ディスクＤＫの記録層に合うための制御であるフォーカスサーボが行われる。尚、この実施形態では、光ピックアップ２００において光ディスクＤＫからの反射光を受光する分割されたフォトディテクタの手前には、ナイフと集光レンズが配置されナイフエッジ法によるフォーカスサーボを行うようになっているが、フォーカスサーボの方法はナイフエッジ法に限らず、例えばＳＳＤ法などによるフォーカスサーボを用いてもよい。
【００２６】
再生信号生成回路１０８は、光ピックアップ２００内の分割された受光素子から出力され信号増幅回路１００で増幅された信号をすべて足し合わせた信号（すなわち反射光の強度に相当する信号）を出力する。２値化回路１１０は、再生信号生成回路１０８が出力する信号を設定されたレベルでスライスし、ハイレベルとローレベルとからなるパルス信号にする。このパルス信号はＢＣＡコードのバーの箇所がローレベルとなり、ＢＣＡコードのバーとバーとの間がハイレベルとなるパルス信号である。データ復号回路１１２は、ＢＣＡコードにレーザ光を照射し、ＢＣＡデータを再生するときのみ、コントローラ４００からの指令により作動する。データ復号回路１１２は、作動開始の指令を受けた後、２値化回路１１０からパルス信号が入力すると、入力したパルス信号から例えばＤＶＤの場合はＢＣＡコードのバーとバーとの間隔が１Ｔから４Ｔまでとなるデータを作成する。これは、データ変換回路２０２が出力するデータに相当する。そして、このデータからデータ変換回路２０２が行うデータ変換とは逆の変換を行うことでＢＣＡデータを復号し、復号したＢＣＡデータをコントローラ４００に出力する。
【００２７】
半径値検出回路３０２は、装置の電源が投入されると駆動開始し、フィードモータ３００が内臓するエンコーダからのパルス信号の入力が停止したときを初期半径値として、それ以降入力するパルス信号をカウントして移動距離を算出し、初期半径値に加減することで半径値を算出し、コントローラ４００及び後述するフィードモータ制御回路３０４に出力する。
【００２８】
フィードモータ制御回路３０４は、以下の働きをする。
・装置の電源が投入されると駆動開始し、フィードモータ３００を駆動限界位置（初期半径値である位置）まで駆動する。
・コントローラ４００から半径値が入力すると、半径値検出回路３０２から入力する半径値から駆動方向を判定してフィードモータ３００を駆動し、半径値検出回路３０２から入力する半径値がコントローラ４００から入力した半径値になるとフィードモータ３００の駆動を停止する。
・コントローラ４００から半径方向送り指令が入力すると、コントローラ４００から一定間隔で入力する送り速度にフィードモータ３００に内臓するエンコーダからのパルス信号をカウントすることにより算出した送り速度が一致するよう、フィードモータ３００の回転を制御する。
【００２９】
コントローラ４００には、光ディスクＤＫが１回転するときにレーザ光照射位置が移動する距離（以下、送りピッチという）が記憶されており、この送りピッチを前述した（回転数／時間）の単位の回転速度の逆数（１回転の時間）で除算して送り速度を算出し、フィードモータ制御回路３０４に出力する。尚、半径値検出回路３０２が検出する半径値の検出点ｒは、図５に示すよう光スポットＳＰの内周側の端付近で初期化と非初期化の境界ができる位置、言い換えると初期化が行われる最も低いレーザ光強度の位置である。そして、コントローラ４００には、図５にＬと示されている半径値を検出する位置から光スポットＳＰの外周側の端付近で初期化と非初期化の境界ができる位置までの距離Ｌ、言い換えると光スポットＳＰを光ディスク１回転分移動して初期化を行ったときの初期化幅Ｌが記憶されている。この値は、後述するように半径方向の移動を停止する半径位置を検出する際に用いられる。
【００３０】
このように構成された光ディスク初期化装置１において、作業者は装置の電源を投入した後、光ディスクＤＫをターンテーブル２１４にセットし、入力装置４０４から初期化開始の指令を入力すると、コントローラ４００は図２〜図４に示すフローチャートのプログラムをスタートさせ、光ディスクＤＫの初期化と所定半径位置へのＢＣＡコードの記録と、記録したＢＣＡコードからのＢＣＡデータ再生が行われる。以下、プログラムのフローに沿って説明する。尚、以後の本実施例の説明において、括弧内の符号は図２〜図４の符号に対応している。
【００３１】
まず、インデックス信号のカウンタｎをクリアし（Ｓ１０２）、光ピックアップ２００から照射されるレーザ光により光ディスクＤＫに形成される光スポットＳＰの位置を、初期化開始半径位置である光ディスクＤＫに記録層がある最内周の半径位置に移動する（Ｓ１０４）。次に、データ変換回路２０２にＢＣＡデータが出力され、データ変換回路２０２でデータ変換（エンコード）が行われ、ＢＣＡコードの基になるデータが記録用信号生成回路２０４に出力される（Ｓ１０６）。
【００３２】
次に、スピンドルモータ制御回路２１０に初期化用の回転速度の指令が出力されターンテーブル２１４が初期化用の回転速度で回転を開始し（Ｓ１０８）、レーザ駆動回路２０６に初期化用のレーザ光照射の指令とレーザ強度の指令が出力され、光ピックアップ２００から初期化用のレーザ光照射が行われ（Ｓ１１０）、図示されていないフォーカスアクチュエータを駆動する回路へ作動指令が出力して光ピックアップ２００のフォーカスアクチュエータが対物レンズをレーザ光の光軸方向に駆動し、フォーカスエラー信号生成回路１０２が出力する信号に生じるＳ字信号が０クロスするタイミングでフォーカスサーボ回路１０４に作動指令が出力し、フォーカスサーボが開始される（Ｓ１１２）。この状態で、スピンドルモータ２１２内のエンコーダから２回インデックス信号が入力するのを待って（Ｓ１１４〜Ｓ１２０）、半径方向送りを開始する（Ｓ１２２）。これは、初期化が開始した後、１回転以上半径方向送りを行わず、光ディスクＤＫに初期化されない箇所が生じないようにするためである。
【００３３】
次に、半径値検出回路３０２から一定間隔で入力する半径値（以下、検出した半径値という）に初期化幅Ｌを加算した値がＢＣＡコードの内周端の半径位置になると（Ｓ１２４−ＹＥＳ）、フィードモータ制御回路３０４へ半径方向送り停止指令が出力され半径方向の送りを停止し（Ｓ１２６）、スピンドルモータ制御回路２１０にＢＣＡコード記録用の回転速度が出力され回転速度をＢＣＡコード記録用の回転速度に変更し（Ｓ１２８）、スピンドルモータ２１２内のエンコーダから２回インデックス信号が入力する（光ディスクが１回転以上回転する）のを待つ（Ｓ１３０〜Ｓ１３６）。これにより、ＢＣＡコードの内周端の半径位置より内側がすべて初期化される。
【００３４】
そして、２回インデックス信号が入力した後、レーザ駆動回路２０６にＢＣＡコード記録用のレーザ光照射の指令と、レーザ強度の指令が出力され、光ピックアップ２００からＢＣＡコード記録用のレーザ光照射を開始し（Ｓ１３８）、フィードモータ制御回路３０４へ半径方向送り指令が出力され半径方向送りを開始する（Ｓ１４０）。レーザ駆動回路２０６にはインデックス信号が入力するごとにＢＣＡコードを記録するためのパルス信号が記録用信号生成回路２０４から入力しているので、これにより光ディスクにはＢＣＡコードが記録され始める。尚、半径方向送りを開始した時点では、光スポットＳＰの半径値検出点ｒは初期化領域とＢＣＡコード記録領域の境界より距離Ｌ分初期化領域側にあるので、図６（ａ）に示すようにＢＣＡコードは光スポットＳＰがＢＣＡコード記録領域側に移動するに従って記録されることになる。すなわちＢＣＡコード内周側端は、ＢＣＡコード記録領域に隣接する初期化領域で半径方向送りを停止した初期化を光ディスクＤＫの１回転以上行うことで、半径位置を同一とすることができる。
【００３５】
検出した半径値がＢＣＡコードの外周側端の半径位置になると（Ｓ１４２−ＹＥＳ）、フィードモータ制御回路３０４への指令出力により半径方向の送りを停止し（Ｓ１４４）、レーザ駆動回路２０６への指令出力により初期化用のレーザ光照射に変更し（Ｓ１４６）、スピンドルモータ制御回路２１０への初期化用の回転速度出力により回転速度を初期化用の回転速度に変更する（Ｓ１４８）。そして、スピンドルモータ２１２内のエンコーダから２回インデックス信号が入力する（光ディスクＤＫが１回転以上回転する）のを待つ（Ｓ１５０〜Ｓ１５６）。尚、半径方向送りを停止した時点では光スポットＳＰの半径値検出点ｒは初期化領域とＢＣＡコード記録領域の境界にあるので、図６（ｂ）に示すようにその境界から初期化領域側に形成されたＢＣＡコードは、光スポットＳＰが周方向のみの移動をすることにより初期化され消えることになる。すなわち、ＢＣＡコード外周側端は、ＢＣＡコード記録領域に隣接する初期化領域で半径方向送りを停止した初期化を光ディスクＤＫの１回転以上行うことで、半径位置を同一とすることができる。そして、２回インデックス信号が入力した後、（光ディスクＤＫが１回転以上回転した後）、フィードモータ制御回路３０４への指令出力により半径方向送りを開始する（Ｓ１５８）。これにより、ＢＣＡコード記録領域の外側にある初期化領域が初期化されていく。
【００３６】
次に、検出した半径値に初期化幅Ｌを加算した値が初期化終了の半径位置になると（Ｓ１６０−ＹＥＳ）、フィードモータ制御回路３０４への指令出力により半径方向の送りを停止し（Ｓ１６２）、スピンドルモータ２１２内のエンコーダから２回インデックス信号が入力する（光ディスクＤＫが１回転以上回転する）のを待つ（Ｓ１６４〜Ｓ１６６）。これにより、ＢＣＡコード記録領域の外側にある初期化領域はすべて初期化され、この領域の外側にはレーザ光は移動しないため、余計な箇所にレーザ光が照射されたりフォーカスサーボが外れたりすることはなくなる。
【００３７】
そして、２回インデックス信号が入力した後、（光ディスクＤＫが１回転以上回転した後）、フォーカスサーボ回路１０４への指令出力によりフォーカスサーボを停止し（Ｓ１７０）、レーザ駆動回路２０６への指令出力によりレーザ光照射を停止し（Ｓ１７２）、フィードモータ制御回路３０４にＢＣＡコードを記録した半径領域の中心位置の半径値が出力され、レーザ光照射されたときのレーザ光照射位置の半径値がその半径値になるよう半径方向移動が行われる（Ｓ１７４）。さらに、スピンドルモータ制御回路２１０へのＢＣＡデータ再生用の回転速度出力により回転速度をＢＣＡデータ再生用の回転速度に変更し（Ｓ１７６）、レーザ駆動回路２０６への指令出力によりＢＣＡデータ再生用のレーザ光強度でレーザ光照射を開始し（Ｓ１７８）、前述の動作（Ｓ１１２）と同様にフォーカス引き込みを行ってフォーカスサーボを開始し（Ｓ１８０）、データ復号回路１１２の作動を開始する（Ｓ１８２）。これにより、データ復号回路１１２は、復号したＢＣＡデータを出力するようになるので、このデータを入力し（Ｓ１８４）、元のＢＣＡデータ（データ変換回路２０２に出力したＢＣＡデータ）と復号したＢＣＡデータとを比較し、正しくＢＣＡコードが記録されたか否かの判定結果を表示装置４０２に表示する（Ｓ１８６）。
【００３８】
そして、フォーカスサーボ回路１０４、レーザ駆動回路２０６、スピンドルモータ制御回路２１０及びデータ復号回路１１２への指令出力によりフォーカスサーボ停止、レーザ光照射停止、回転停止（Ｓ１８８）、データ復号回路１１２の作動停止を行い（Ｓ１９０）、プログラムを終了する（Ｓ１９２）。以後、作業者は、ターンテーブル２１４から光ディスクＤＫを取り除き、新しい光ディスクＤＫをターンテーブル２１４にセットして再び入力装置４０４から初期化開始の指令を入力する。これを繰り返すことで次々に光ディスクＤＫの初期化と所定半径位置へのＢＣＡコードの記録が行われる。
【００３９】
以上のように、本実施の形態における光ディスク初期化装置１によれば、識別情報記録領域（ＢＣＡコード記録領域）に隣接する内周側と外周側の初期化傾域で半径方向移動を伴わない初期化を行うようにしたことから、ＢＣＡコードの内周側端と外周側端における周方向の半径位置を同一にすることができ、ＢＣＡコードの内周側端と外周側端における半径位置を許容範囲内にすることが可能である。
【００４０】
また、光ディスクＤＫの最内周側から、半径方向送りのある初期化、半径方向送りのない初期化、識別情報（ＢＣＡコード）の記録、半径方向送りのない初期化、半径方向送りのある初期化の順に一連の動作で処理を行うようにしたことから、生産効率の維持が可能である。
【００４１】
さらに、半径位置検出手段（本実施の形態では、フィードモータ３００内蔵のエンコーダが出力するパルス信号のパルス数をカウントし、カウント値を用いた演算により算出）が識別情報記録領域（ＢＣＡコード記録領域）の内周側端又は外周側端の半径位置を検出すると、内周側端では初期化手段による初期化を継続し、外周側端では初期化手段による初期化を開始し、特定回転位置検出手段が２回以上特定位置を検出するまで半径方向移動手段による半径方向移動を停止することから、容易に識別情報記録領域（ＢＣＡコード記録領域）の内周側端又は外周側端で半径方向移動のない初期化を光ディスクの１回転以上行うことができ、複雑な回路や機構を新たに必要としないため装置のコストアップを抑えることができる。
【００４２】
尚、上記実施の形態は様々な変形が可能である。上記実施の形態では、光ディスクＤＫの最内周側から、半径方向送りのある初期化、半径方向送りのない初期化、識別情報（ＢＣＡコード）の記録、半径方向送りのない初期化、半径方向送りのある初期化の順に処理を行うようにしたが、これを逆にして、最外周から同様の順序で初期化を行うようにしてもよい。また生産効率を気にしなければ、この処理の順序を様々に変更するようにしてもよい。これによっても、ＢＣＡコードの内周側端と外周側端における周方向の半径位置を同一にするという効果は、変わらず得ることができる。
【００４３】
また、上記実施の形態では特定の回転位置を検出するのにスピンドルモータ２１２内にあるエンコーダが出力するインデックス信号を使用したが、これ以外の信号で特定の回転位置を検出するようにしてもよい。例えば、スピンドルモータ２１２内にあるエンコーダが出力するパルス信号から回転角度を検出し、回転角度が３６０度になるごとに０度になるようにしておき、設定した回転角度になると信号を出力するようにして特定の回転位置を検出するようにしてもよい。
【００４４】
さらに、上記実施の形態では半径値の検出点を光スポットＳＰの内周側の端付近で初期化と非初期化の境界ができる位置にしたが、反対側である光スポットＳＰの外周側の端付近で初期化と非初期化の境界ができる位置にしてもよく、光スポットＳＰの内周側の端付近と外周側の端付近の初期化と非初期化の境界ができる位置を正しく検出できれば、どのような位置を半径値の検出点にしてもよい。
【００４５】
さらに、上記実施の形態ではターンテーブル２１４とスピンドルモータ２１２に接続したフィードモータ３００を駆動することでレーザ光照射位置をターンテーブルの半径方向に移動するようにしたが、光ピックアップ２００を移動する構成にしてもよい。また、上記実施の形態では、同一のレーザ光により初期化、ＢＣＡコードの記録、ＢＣＡデータの再生及びフォーカスサーボを行ったが、コスト面を重視しなければレーザ光源を２つ以上にし、初期化、ＢＣＡコードの記録、ＢＣＡデータの再生及びフォーカスサーボの少なくとも１つは別のレーザ光を用いるようにしてもよく、本発明の目的を逸脱しなければ様々な変更が可能である。
【産業上の利用可能性】
【００４６】
以上のように、本発明によれば、容易にＢＣＡコードの内周側端と外周側端における周方向の半径位置を同一にし、ＢＣＡコードの内周側端と外周側端における半径位置を許容範囲内にすることが可能な光ディスク初期化装置及び光ディスク初期化方法を提供することができる。
【図面の簡単な説明】
【００４７】
【図１】本発明が適用された光ディスク初期化装置の全体構成を示す構成図である。
【図２】同光ディスク初期化装置のコントローラが実行するプログラムのフローチャートである。
【図３】同光ディスク初期化装置のコントローラが実行するプログラムのフローチャートである。
【図４】同光ディスク初期化装置のコントローラが実行するプログラムのフローチャートである。
【図５】検出する半径値の検出点を光スポット、光ディスクにおける初期化及び非初期化箇所と共に示した説明図である。
【図６】本発明における初期化傾域とＢＣＡコード記録領域との境界におけるＢＣＡコードの記録のされ方を示した説明図である。
【図７】光ディスクに初期化領域と非初期化領域とからなるＢＣＡコードをレーザスポットの移動により記録していく様子を示した説明図である。
【図８】従来の光ディスク初期化装置においてＢＣＡコードの内周側端と外周側端の半径位置が周方向で一致していないことを示した説明図である。
【符号の説明】
【００４８】
１・・・・・光ディスク初期化装置
１００・・・信号増幅回路
１０２・・・フォーカスエラー信号生成回路
１０４・・・フォーカスサーボ回路
１０６・・・ドライブ回路
１０８・・・再生信号生成回路
１１０・・・２値化回路
１１２・・・データ復号回路
２００・・・光ピックアップ
２０２・・・データ変換回路
２０４・・・記録用信号生成回路
２０６・・・レーザ駆動回路
２０８・・・クロック信号発生回路
２１０・・・スピンドルモータ制御回路
２１２・・・スピンドルモータ
２１４・・・ターンテーブル
３００・・・フィードモータ
３０２・・・半径値検出回路
３０４・・・フィードモータ制御回路
４００・・・コントローラ
４０２・・・表示装置
４０４・・・入力装置
【図１】
0004706692.tif 000003
【図２】
0004706692.tif 000004
【図３】
0004706692.tif 000005
【図４】
0004706692.tif 000006
【図５】
0004706692.tif 000007
【図６】
0004706692.tif 000008
【図７】
0004706692.tif 000009
【図８】
0004706692.tif 000010